(57)【特許請求の範囲】
【請求項１】
本体と前記本体に装着された蓋体からなる筐体と、
前記筐体の蓋体が前記本体の開口を閉じたとき、下端の爪部が前記本体に係合し、前記蓋体と上端の握部を握ることにより、前記爪部と前記本体との係合が解除される回動レバーと、
前記本体に装着したスイッチ付照明装置とからなる筐体のスイッチ付照明装置において、
前記スイッチ付照明装置は、
電気的な光源と、
略中央に前記光源を配設し、前記光源から離れるに従ってその断面積を拡大させ、かつ、その断面積の最大位置で前記光源から離れる方向に対して直角方向に前記最大断面積で屈折させ、その屈折させた外側に略４５度の反射面を形成した前記筐体の本体に収容固定したレンズと、
前記光源及びレンズを収納固定するハウジングと、
前記ハウジングに配設され、前記光源に対していずれか一方の接点が電気的に接続される固定接点及び可動接点と、
前記ハウジングに挿着され、前記回動レバーの下端の爪部が前記本体に係合した係合状態で押圧され、前記可動接点を変位させる操作手段と
を具備することを特徴とする筐体のスイッチ付照明装置。
【発明の詳細な説明】
【０００１】
【産業上の利用分野】
本発明は、光源とその光源に対して電力を供給するスイッチとを同一ハウジングに組込んでなる筐体のスイッチ付照明装置に関するものである。
【０００２】
この種の筐体のスイッチ付照明装置は、車両のコンソールボックス等の筐体、ドアカーテシランプ、トランクリッドランプ等の扉を開閉した際の照明等のように、開閉と同時に照明を行なう車両、或いは電気機器に使用されるものである。
【０００３】
【従来の技術】
従来の照明装置としては、例えば、コンソールボックスの照明部はコンソールボックスに照明手段を組込み、また、別な位置にコンソールボックスの蓋の開閉を検出するスイッチを取付けていた。このため、コンソールボックスの照明部のリード線とスイッチのリード線とをコネクタで接続して電源に導く必要があり、比較的近接している位置にあっても、コネクタを必要とし、かつ、その配線の必要性があった。
【０００４】
実公平５−３３９９号公報に掲載の車両のカーテシランプ等についても、カーテシランプとリミットスイッチとが別体になっており、照明機能とスイッチ機能とが独立している。
【０００５】
【発明が解決しようとする課題】
このように、従来の照明装置は、照明機能とスイッチ機能とが独立して構成されていたから、実公平５−３３９９号公報に掲載のカーテシランプにおいては、同一アームレストに組込んで使用されるにもかかわらずコネクタ及びその配線の必要性があり、部品コスト及び配線の手間に無駄があった。
【０００６】
また、従来の照明機能では、コンソールボックスの内側に光源が配設されていても、その光源から光が広がる範囲が狭く、コンソールボックスの内面等で反射が発生していないと、コンソールボックス内が容易に確認できない可能性があった。
【０００７】
そこで、本発明は、照明光の広がりが大きく、かつ、部品コストを低減し、配線の手間を省いた筐体のスイッチ付照明装置の提供を課題とするものである。
【０００８】
【課題を解決するための手段】
請求項１にかかる筐体のスイッチ付照明装置は、本体と前記本体に装着された蓋体からなる筐体と、前記筐体の蓋体が前記本体の開口を閉じたとき、下端の爪部が前記本体に係合し、前記蓋体と上端の握部を握ることにより、前記爪部と前記本体との係合が解除される回動レバーと、前記本体に装着したスイッチ付照明装置とからなる筐体のスイッチ付照明装置において、前記スイッチ付照明装置は、電気的な光源と、略中央に当該光源を配設し、前記光源から離れるに従ってその断面積を拡大させ、かつ、その断面積の最大位置で前記光源から離れる方向に対して直角方向に前記最大断面積で屈折させ、その屈折させた外側に略４５度の反射面を形成した前記筐体の本体に収容固定したレンズと、前記光源及びレンズを収納固定するハウジングと、前記ハウジングに配設され、前記光源に対していずれか一方の接点が電気的に接続される固定接点及び可動接点と、前記ハウジングに挿着され、前記回動レバーの下端の爪部が前記本体に係合した係合状態で押圧され、前記可動接点を変位させる操作手段とを具備するものである。
【０００９】
【作用】
請求項１においては、本体と前記本体に装着された蓋体からなる筐体と、前記筐体の蓋体が前記本体の開口を閉じたとき、下端の爪部が前記本体に係合し、前記蓋体と上端の握部を握ることにより、前記爪部と前記本体との係合が解除される回動レバーと、前記本体に装着したスイッチ付照明装置とからなる筐体のスイッチ付照明装置において、電気的な光源を略中央に配設し、その光源から離れるに従ってその断面積を拡大させることにより、所定の距離によって光を拡散させ、その光拡散した状態で直角方向に光を照射させる。また、光源及びレンズを収容固定するハウジングに配設され、固定接点及び可動接点を配設し、その一方と光源とを電気的に接続するものである。したがって、光源の他方のリード線と他方の固定接点または可動接点間に電源を接続すれば、スイッチを介在させた光源が得られる。この光源は弾性力を付与されている操作手段を外力で操作することによりスイッチ操作され、点灯する。
【００１０】
【実施例】
以下、本発明における実施例を説明する。
【００１１】
図１は本発明の一実施例におけるスイッチ付照明装置の要部断面図、図２は図１の実施例におけるスイッチ付照明装置の正面図、図３は図１の実施例におけるスイッチ付照明装置のスイッチ部分の要部断面図、図４は図１の実施例におけるスイッチ付照明装置の要部部品展開図、図５は本発明の一実施例におけるスイッチ付照明装置を取付けたコンソールボックスの全体斜視図である。
【００１２】
図において、電気的なランプ等の光源１０は、所望の照度が得られる消費電力のものであり、その発散光は下方以外の周囲に広がり、透明ガラス、透明合成樹脂からなるレンズ２０に入射する。即ち、レンズ２０はその下端の略中央に光源１０を配設する嵌合孔からなる嵌合凹部２１を有しており、嵌合凹部２１に光源１０が挿着されるように配設されている。レンズ２０の下端は嵌合凹部２１を有しているが、嵌合凹部２１から離れ上方になるに従ってその水平断面積を連続して広くする連続した反射斜面２２を有し、そして、その断面積の最大位置で前記断面に対して直角方向に前記最大断面積で屈折させて突出部２３を形成し、その屈折させた外側に略４５度の反射面２４を形成している。
【００１３】
これら光源１０及びレンズ２０はハウジング３０に収容され、必要に応じて接合されることにより一体化され、ハウジング３０からは突出部２３の外表面が露出し、光源１０のリード線１１，１２が引出される。
【００１４】
したがって、光源１０から発せられた光は、レンズ２０の嵌合凹部２１から入射し、光源１０からレンズ２０に入射された光は、その下端から直接反射面２４に入射する光となるもの、及び反射斜面２２を反射して反射面２４に入射する光となるものがある。反射面２４では全反射し、突出部２３から光が発散される。この突出部２３から光が発散されるときには面光源となる。
【００１５】
ハウジング３０は光源１０及びレンズ２０を収容する本体３１と光源１０及びレンズ２０の離脱を防止する捩子３２ａで螺止された蓋体３２からなる。また、本体３１の光源１０及びレンズ２０を収容する反収容側には操作レバー４０を収容するレバー収容部３３を有し、また、レバー収容部３３の下端には接点取付部３４を有している。レバー収容部３３は操作レバー４０の垂直方向の往復動を許容するため、垂直方向の上面が開口しており、組付けの際の操作レバー４０の挿入口となっている。レバー収容部３３の外表面には略四角な開口からなる係合口部３３ａが形成されている。
【００１６】
ハウジング２０に形成された接点取付部３４には、前記光源１０に対してリード線１１に電気的に接続された固定接点５１と、その固定接点５１と接離可能な可動接点５２が配設されている。可動接点５２には電源に接続されるリード線５３が接続されている。この可動接点５２に外力が付与されていないとき、自己の弾性力によって固定接点５１に弾接されており、両者は導通状態となる。
【００１７】
操作レバー４０はレバー収容部３３に挿入自在であり、往復動自在な板状の形態をしており、その中間部には自己の弾性力により元の位置に戻る下方に尖鋭な楔状突部４１が形成されている。また、操作レバー４０の下端には可動接点板５２に当接する棒状の操作突部４２が形成されており、可動接点板５２に弾接している。また、操作レバー４０の下端の略中央には突部４３が形成されており、レバー収容部３３の下面に形成された凹部３４ａとの間でスプリング４５を介在している。即ち、操作レバー４０の下端の突部４３をスプリング４５の内側に挿入し、レバー収容部３３の凹部３４ａでスプリング４５の外側を保持し、スプリング４５の弾性力により操作レバー４０の突部４３をレバー収容部３３の凹部３４ａから離反する方向に付勢力を与えている。そして、操作レバー４０の上端は略直角に折曲されている上端部４４によって、その押圧面を広くしている。
【００１８】
操作レバー４０はレバー収容部３３に挿入することにより、レバー収容部３３の略四角な開口からなる係合口部３３ａに下方に尖鋭な楔状突部４１がスプリング４５の弾性力に抗して挿入されると、その後、外力を解放すれば、楔状突部４１が係合口部３３ａ内でその移動が許容され、操作レバー４０はその範囲内で移動自在となり、かつ、楔状突部４１の段部はスプリング４５の弾性力により、係合口部３３ａと当接した状態でその上昇が規制される。
【００１９】
即ち、操作レバー４０の上端部４４をスプリング４５の弾性力に抗する外力によって押下げると、操作突部４２が可動接点５２を下方に押圧し、固定接点５１との接触を断ち、可動接点５２と固定接点５１とが非導通となる。
【００２０】
操作レバー４０の上端部４４の外力を解放すると、スプリング４５の弾性力により操作レバー４０が上昇し、楔状突部４１は係合口部３３ａの上端と当接した位置で停止する。このとき、操作突部４２の上昇により可動接点５２を自己の弾性力により上昇させ、固定接点５１と当接し、可動接点５２と固定接点５１とが導通となる。なお、操作レバー４０はハウジング３０のレバー収容部３３に挿着され、可動接点５２を外力によって変位させる本実施例の操作手段を構成している。
【００２１】
このように構成された本実施例におけるスイッチ付照明装置は、例えば、コンソールボックス本体６４に装着される。コンソールボックス蓋体６１には、そのヒンジ側の反対側開口に回動レバー６２を配設し、図示しないスプリングにより、コンソールボックス蓋体６１をコンソールボックス本体６４の開口を閉じたとき、回動レバー６２の下端の爪部６２ａがコンソールボックス本体６４の段部６３に係合する。この係合状態では、回動レバー６２の下端の爪部６２ａで操作レバー４０の上端部４４を押下げ、操作突部４２が可動接点板５２を押下げ、可動接点５２と固定接点５１とが非導通となる。この回動レバー６２は、クランク状に屈折しており、その中間がコンソールボックス蓋体６１に取付けられた支軸６２ｃとなっており、握部６２ｂを右回動させると爪部６２ａも右回動する。この回動レバー６２は爪部６２ａが左回動した位置に、図示しないスプリングによって付勢されている。
【００２２】
コンソールボックス蓋体６１と回動レバー６２の上端の握部６２ｂを握ることにより、回動レバー６２の爪部６２ａとコンソールボックス本体６４の段部６３との係合が解除され、コンソールボックス蓋体６１を解放することができる。このとき、回動レバー６２の下端の爪部６２ａが操作レバー４０の上端部４４の押下力を解放し、操作突部４２の上昇により可動接点５２は自己の弾性力により上昇し、固定接点５１と当接し、可動接点５２と固定接点５１とが導通となる。
【００２３】
本実施例のコンソールボックス６０に取付けたスイッチ付照明装置は、次のように動作する。
【００２４】
まず、コンソールボックス蓋体６１によってコンソールボックス本体６４の開口を閉じたとき、回動レバー６２の下端の爪部６２ａがコンソールボックス本体６４の段部６３に係合する。この係合状態では、回動レバー６２の下端の爪部６２ａで操作レバー４０の上端部４４を押下げ、操作突部４２の下降により可動接点５２を自己の弾性力に抗して下降させ、可動接点５２を固定接点５１から離し、両者間が非導通となり。可動接点５２と固定接点５１との導通がなくなることで、光源１０まで電力が供給されないから、光源１０は点灯しない。
【００２５】
コンソールボックス蓋体６１と回動レバー６２の上端の握部６２ｂを握ると、回動レバー６２の爪部６２ａとコンソールボックス本体６４の段部６３との係合が解除される。コンソールボックス蓋体６１は外力で解放することができる。このとき、回動レバー６２の下端の爪部６２ａが、操作レバー４０の上端部４４の押下力を解放し、操作レバー４０の楔状突部４１は係合口部３３ａの上端と当接した位置で停止し、操作レバー４０の上端部４４の位置が定まる。このとき、操作レバー４０の上端部４４の変位により、操作突部４２も上昇し、可動接点５２を自己の弾性力により復元し、固定接点５１と当接し、可動接点５２と固定接点５１とが導通となる。両者間が導通すると光源１０まで電力が供給され、光源１０が点灯する。
【００２６】
光源１０が点灯すると、その発散光は下方以外の周囲に広がり、嵌合凹部２１からレンズ２０に入射する。光源１０からレンズ２０に入射された光は、その下端から直接反射面２４に入射する光及び反射斜面２２を反射して反射面２４に入射する光が、反射面２４で全反射し、突出部２３から光が発散され、コンソールボックス６０内の照明となる。このとき、光源１０の略点光源は突出部２３から光が発散されるときには面光源となり、コンソールボックス６０内の広い範囲の照明となる。
【００２７】
このように、本実施例のスイッチ付照明装置は、電気的な光源１０と、略中央に光源１０を配設し、その光源１０から離れるに従ってその断面積を拡大させ、かつ、その断面積の最大位置で光源１０から離れる方向に対して直角方向に最大断面積で屈折させ、その屈折させた外側に略４５度の反射面を形成したレンズ２０と、光源１０及びレンズ２０を収容固定するハウジング３０と、ハウジング３０に配設され、光源１０に対していずれか一方の接点が電気的に接続される固定接点５１及び可動接点５２と、ハウジング３０に挿着され、可動接点５２を外力によって変位させる操作レバー４０からなる操作手段とを具備するものであり、これを請求項１の実施例とすることができる。
【００２８】
したがって、光源１０及びレンズ２０を収容固定するハウジング３０に配設し、また、そのハウジング３０に固定接点５１及び可動接点５２を配設し、光源１０のリード線１１またはリード線１２と他方の固定接点５１または可動接点５２間に電源を接続すれば、スイッチ機能を介在させた光源１０が得られる。この光源１０は弾性力を付与されている操作レバー４０からなる操作手段を外力で操作することによりスイッチ操作されて点灯させる。電気的な光源１０をレンズ２０の略中央に配設し、その光源１０から離れるに従ってその断面積を拡大させることにより、所定の距離によって光を拡散させ、その光拡散した状態で直角方向に光を屈折させる。
【００２９】
このとき、固定接点５１または可動接点５２と光源１０の一方のリード線１１またはリード線１２を直接接続しておけば、他の可動接点５２または固定接点５１と光源１０の他方のリード線１２またはリード線１１との間に電力を供給しておけば、操作レバー４０からなる操作手段によって光源１０の点灯または消灯が可能となる。このスイッチ付照明装置をコンソールボックス６０等に取付ければ、照明機能及びスイッチ機能の組付けが完了し、コネクタを使用して接続を行なうような接続作業が不用になり、部品コストを低減し、配線の手間を省くことができる。
【００３０】
また、略中央に光源１０を配設し、その光源１０から離れるに従ってその断面積を拡大させ、かつ、その断面積の最大位置で光源１０から離れる方向に対して直角方向に最大断面積で屈折させ、その屈折させた外側に略４５度の反射面を形成したレンズ２０を有することにより、照明光の広がりを大きくすることができる。
【００３１】
そして、本実施例のスイッチ付照明装置は、ハウジング３０に挿着され、可動接点５２を外力によって変位させる操作レバー４０からなる操作手段は、コンソールボックス蓋体６１からなる蓋体を閉じたときに係合する回動レバー６２からなる係合部材によって押圧されるもので、これを請求項２の実施例とすることができる。この種の実施例によれば、コンソールボックス蓋体６１からなる蓋体を開閉することに応答して、照明を点灯または消灯することができる。これを請求項２の実施例とすることができる。
【００３２】
ところで、上記実施例のレンズ２０は、略中央に光源１０を配設し、その光源１０から離れるに従ってその断面積を拡大させ、かつ、その断面積の最大位置で光源１０から離れる方向に対して直角方向に最大断面積で屈折させ、その屈折させた外側に略４５度の反射面を形成したものであるが、本発明を実施する場合には、特に、直角方向に最大断面積で屈折させた端部はその表面積を大きくするように凹凸模様を付すことができる。これによれば、光の散乱により、照明範囲を広くすることができる。
【００３３】
また、本実施例のハウジング３０は、光源１０及びレンズ２０を収容固定すると共に、固定接点５１及び可動接点５２を配設し、更に、ハウジング３０に操作レバー４０が挿着され、可動接点５２を外力によって変位させるものであるが、本発明を実施する場合には、光源１０及びレンズ２０を収容固定し、また、固定接点５１及び可動接点５２が配設され、可動接点５２を外力によって変位させる操作手段とを有するものであればよい。
【００３４】
そして、本実施例の操作手段は、コンソールボックス蓋体６１からなる蓋体を閉じたときに係合する回動レバー６２からなる係合部材によって押圧される操作レバー４０からなるものであるが、本発明を実施する場合には、ハウジング２０に挿着され、可動接点５２を外力によって変位させる操作手段を、蓋体を閉じたときに係合する回動レバー４０からなる係合部材によって押圧できる構成が望ましい。
【００３５】
【発明の効果】
以上のように、請求項１の筐体のスイッチ付照明装置は、光源及びレンズを収容固定する筐体の本体に配設し、また、その筐体の本体に固定接点及び可動接点を配設し、光源の一方のリード線と固定接点または可動接点間に電源を接続すれば、スイッチ機能を介在させた光源が得られる。この光源は弾性力を付与されている回動レバーを外力で操作することによりスイッチ操作されて点灯させることができる。そして、光源をレンズの略中央に配設し、その光源から離れるに従ってその断面積を拡大させることにより、所定の距離によって光を拡散させ、その光拡散した状態で直角方向に光を屈折させる。
【００３６】
したがって、固定接点または可動接点と光源の一方のリード線を直接接続したものであるから、他の可動接点または固定接点と光源のリード線との間に電力を供給しておけば、回動レバーによって光源の点灯または消灯が可能となる。この筐体のスイッチ付照明装置は筐体に取付ければ、照明機能及びスイッチ機能の組付けが完了し、コネクタを使用して接続を行なうような接続作業が不用になり、部品コストを低減し、配線の手間を省くことができる。また、略中央に光源を配設し、その光源から離れるに従ってその断面積を拡大させ、かつ、その断面積の最大位置で光源から離れる方向に対して直角方向に最大断面積で屈折させ、その屈折させた外側に略４５度の反射面を形成したレンズを有することにより、照明光の広がりを大きくすることができる。更に、回動レバーは、蓋体を開閉することに応答して、照明を点灯または消灯することができる。
【図面の簡単な説明】
【図１】図１は本発明の一実施例におけるスイッチ付照明装置の要部断面図である。
【図２】図２は図１の実施例におけるスイッチ付照明装置の正面図である。
【図３】図３は図１の実施例におけるスイッチ付照明装置のスイッチ部分の要部断面図である。
【図４】図４は図１の実施例におけるスイッチ付照明装置の要部部品展開図である。
【図５】図５は本発明の一実施例におけるスイッチ付照明装置を取付けたコンソールボックスの全体斜視図である。
【符号の説明】
１０          光源
１１，１２    リード線
２０          レンズ
２１          嵌合凹部
２２          反射斜面
２３          突出部
２４          反射面
３０          ハウジング
４０          操作レバー
４５          スプリング
３３          レバー収容部
３４          接点取付部
５１          固定接点
５２          可動接点
５３          リード線
【図１】
0003617066.tif 000002
【図２】
0003617066.tif 000003
【図３】
0003617066.tif 000004
【図４】
0003617066.tif 000005
【図５】
0003617066.tif 000006